(57)【要約】      （修正有）【課題】バッグ、ブーツ、スカート、ズボンなどに取付用の穴を設けることなく、アクセサリーを後づけで容易に外れることなく強固に取り付け、必要に応じて取り外すことができる取付具付きアクセサリーを提供する。【解決手段】上辺を折り返し部３として表裏に折り返した基盤地２の折り返し部３内にベルト４の中央部を通してベルト４を基盤地２に固着し、かつ左右のベルト４の端部５を該基盤地２から左右に露出させ、露出した左右のベルト４の一方の端部５の表面５ａと他方の端部５の裏面５ｂにそれぞれ組となる１対の平面ファスナー６を配設し、かつ基盤地２の裏側面の中央上部に逆Ｕ字状の挟持具７を設けて取付具８とし、該基盤地２の表側面２ａに装飾模様９ａからなるアクセサリー９を取り付けた手提げバッグ、ブーツその他、スカート、ズボンなどの後づけ用の取付具付きアクセサリー。【選択図】図２
0003105974.tif 000002
【実用新案登録請求の範囲】
【請求項１】
上辺を折り返し部３として表裏に折り返した基盤地２の折り返し部３内にベルト４の中央部を通してベルト４を基盤地２に固着し、かつ左右のベルト４の端部５を該基盤地２から左右に露出させ、露出した左右のベルト４の一方の端部５の表面５ａと他方の端部５の裏面５ｂにそれぞれ組となる１対の平面ファスナー６を配設し、かつ基盤地２の裏側面の中央上部に逆Ｕ字状の挟持具７を設けて取付具８とし、該基盤地２の表側面２ａに装飾模様９ａから構成されるアクセサリー９を取り付けたことを特徴とする手提げバッグ１０、ブーツ１１、その他、スカート、ズボンなどの後づけ用の取付具付きアクセサリー１。
【請求項２】
ベルト４が皮革又は合成皮革の素材からなることを特徴とする請求項１に記載の手提げバッグ１０、ブーツ１１、その他、スカート、ズボンなどの後づけ用の取付具付きアクセサリー１。
【考案の詳細な説明】
【技術分野】
【０００１】
この考案は、手提げバッグ、ブーツ、スカート、ズボンなどに後づけで取り付けでき、適宜取り外しできる装飾模様を有する取付具付きアクセサリーに関する。
【背景技術】
【０００２】
従来の、例えば女性用の手提げバッグはバッグ本体の表面に革製バッグの場合は型押しやペイントにより描き、布製バッグの場合は刺しゅうや染色やゴブラン織りなどの織物により装飾模様の図柄を形成している。
【０００３】
一方、革製のバッグの場合は皮革の高級感のある艶あるいは滑らかさの表面性状を表出するために、単一色の染色した無地の皮革から形成されているものが多い。また、婦人用のブーツも通常は無地の皮革から形成されている。
【０００４】
さらにスカートやズボンあるいはパンツなどは図柄がデザインされているが、一般的にはプレーンに仕立てられているものが多い。
【０００５】
ところで、装飾品としてブローチやアクセサリーが市販されているが、このような市販のブローチやアクセサリー類は衣服の上着や帽子などに安全ピンで留めたり、ネジ留めすることで取り外し自在としている。しかしながら、ブローチやアクセサリー類を取り付ける相手の製品が皮革製品やビニールなどのプラスチック製品の場合には、たとえピンで留めたとしても開けた穴の疵を残したくないものが多い。また、通常の装飾品としてブローチやアクセサリーは取り付け対象物が衣服の上着や帽子などに限られる。
【０００６】
一方、腰部に取り付ける装飾品として、着物の帯留やベルトのバックルなどがあるが、近年ベルトレスのズボンが多くなり、バックルを身に付けることができなくなってきた。そこでベルトレスズボンやベルトレスのスカートなどに取り付けるアクセサリーが開発されている（例えば、特許文献１参照。）。このものは表にバックル様のアクセサリーを設けた台板の裏の挟持片をズボンやスカートの上端縁内に差し込んであたかもベルトをしているかの様に係止するものである。しかしこのものは単に挟持片を差し込み、保持するのみであり力が加わると落としやすい。
【０００７】
さらに、金属・合成樹脂などの薄い板を曲げて逆Ｕ字状とした一片に穴をあけ、あるいはピンを安全ピン状にしてアクセサリーを固着又は着脱自在としたアクセサリー保持具が考案されている（例えば、特許文献２参照。）。このアクセサリー保持具にアクセサリーを吊り下げて鞄や、靴などの取り付けたい物品に逆Ｕ字状の板や安全ピン状の金属線からなるアクセサリー保持具を取り付け、これを鞄や靴などに取り付けるものである。このものはキーホルダーと同様に単にアクセサリーをブラ下げるものである。
【０００８】
さらに、鞄や衣服のボタン穴やベルトの留め金の差し込みピン穴を利用して、ねじ込み式の表裏のバッジ状の装飾物を鞄や衣服に取り付ける両面身飾品がある（例えば、特許文献３参照。）。このものはねじ込み式のバッジ状であるので、穴が空いているものにしか取り付けることができないものである。
【０００９】
【特許文献１】実開昭６２−８７５２０号公報
【特許文献２】実開平３−４２２０９号公報
【特許文献３】特開平９−２３９１１８号公報
【考案の開示】
【考案が解決しようとする課題】
【００１０】
本考案が解決しようとする課題は、バッグ、ブーツ、スカート、ズボンなどの被取り付け物に取付用の穴を設けるなどの機械的加工を必要とせず、当初から取り付けられていた装飾物と見違える様なアクセサリーを後づけでバッグ、ブーツ、スカート、ズボンなどに容易に外れることなく強固に取り付けることができ、しかも、必要に応じて適宜に取り外すことができる取付具付きアクセサリーを提供することである。
【課題を解決するための手段】
【００１１】
上記の課題を解決するための本考案の手段は、上辺を折り返し部３として表裏に折り返した基盤地２の折り返し部３内にベルト４の中央部を通してベルト４を基盤地２に固着し、かつ左右のベルト４の端部５を該基盤地２から左右に露出させ、露出した左右のベルト４の一方の端部５の表面５ａと他方の端部５の裏面５ｂにそれぞれ組となる１対の平面ファスナー６を配設し、かつ基盤地２の裏側面の中央上部に逆Ｕ字状の挟持具７を設けて取付具８とし、該基盤地２の表側面２ａに装飾模様９ａから構成されるアクセサリー９を取り付けたことを特徴とする手提げバッグ１０、ブーツ１１、その他、スカート、ズボンなどの後づけ用の取付具付きアクセサリー１である。
【００１２】
請求項２の考案の手段は、ベルト４が皮革又は合成皮革の素材からなることを特徴とする請求項１の手段の手提げバッグ１０、ブーツ１１、その他、スカート、ズボンなどの後づけ用の取付具付きアクセサリー１である。
【考案の効果】
【００１３】
この考案は、手提げバッグ、ブーツ、その他、スカート、ズボンなどに興趣に載って必要時に後づけで取り付けできるアクセサリーで、従来の後づけのアクセサリーのように取り付けのための穴加工などを必要とせず、またピンで留める場合のように被取付物に傷跡を生じることなく、強固に取り付けでき、しかも必要時に容易に取り外しができるなど、この考案は優れた効果を奏するものである。
【考案を実施するための最良の形態】
【００１４】
本考案の図面を参照して最良の形態を説明する。図１は本考案の取付具付きアクセサリー１であり、図１の（ａ）はその表面から見た図で、図１の（ｂ）はその裏面から見た図である。本考案の取付具付きアクセサリー１は、これを取り付ける手提げバッグ１０の素材の皮革に合わせて革素材を主とし、これにビーズやガラス玉などの素材からなるもので、花模様などの装飾模様９ａを表面に立体的に有する。この花模様などの装飾模様９ａは革製の基盤地２の上方の折り返し部３の表側の面に縫い付けられている。さらに基盤地２の上方の中央部に図３に示す挟持具７が設けられている。この挟持具７は例えば金属板で、側面から見た図ではその上部が一体に接続している逆Ｕ字からなり、挟持具７の一方の足部がやや幅広のカシメ板７ｂからなり、他方の足部が押え片７ａからなる。幅広のカシメ板７ｂは基盤地２の上方の折り返し部３内に差し込まれてカシメ７ｃで基盤地２の裏面に係止されている。一方、押え片７ａは基盤地２の裏面の外側面との間に取り付けたい物品例えば手提げバッグ１０の上面部を挟持するための挟持具７の一部を形成している。
【００１５】
さらに図２に示すように、基盤地２の上方を折り返し部３には長さ４７ｃｍで幅１．８ｃｍの革製のベルト４を左右に挿通して中央で付着している。ベルト４の左右の端部５の一方の表面５ａと他方の裏面５ｂには、左右で雌雄１対となり係合する平面ファスナー６がそれぞれ設けられている。
【００１６】
上記の取付具付きアクセサリー１のベルト４の左右の端部５は、例えば図４および図５に示すように持ち手１０ｃを有する手提げバッグ１０に本考案の取付具付きアクセサリー１を取り付ける場合、それぞれ持ち手１０の左右の基部の部分を支点として巻いて折り返し、中央で左右の端部５を合わさて平面ファスナー６で互いを係止する。この場合、手提げバッグ１０を省略して、図２により一般的にベルト４の左右の端部５の使い方を説明すると、図２の（ａ）に示すように左右に拡げたベルト４の端部５は、図２の（ｂ）に示すように図に向かって左側のベルト４の端部５を中央側に折り返してファスナー雌部６ｂを外面に出して図示しないバッグに係止した挟着具７に通す。次いで図２の（ｃ）に示すように図に向かって右側の端部５を中央側に折り返してファスナー雄部６ａを内面にしてファスナー雌部６ｂに重ねて互いを係合させる。この場合、後から折り返す右側の端部５も挟着具７に下側から通してファスナー雌部６ｂに重ねると、取り付けはより強固になり、ベルト４に手先が引っかかったとしても容易に外れない。もちろん、図５に示すようにベルト４の端部５は先に折り返した片方のみを挟着具７に通しても良い。この考案はこのように単に挟着具７で引っかけるものと異なり、挟着具７にベルト４の端部５を併せて両者で取付具８とするので、係合が一層強固なものとなり、容易に外れることが無い。
【００１７】
図６はブーツ１１の上端の側面に本考案の取付具付きアクセサリー１を取り付けた状態を示す図である。この場合、図４に示す手提げバッグ１０のように持ち手１０ｃが無いので、ベルト４は折り返すことなくブーツ１１の上端の周囲をぐるりと巻き込み、平面ファスナー６で係止するものとし、ブーツ１１の上辺を挟着具７で挟持して取り付ける。この場合単に挟着具７のみで取り付ける場合に比してベルト４で巻いているので容易に外れることは無い。
【００１８】
さらにスカートあるいはズボンなどに本考案の取付具付きアクセサリー１を取り付けることもできる。この場合、ベルトを使用するスカートあるいはズボンなどでベルトを通すベルト通しがあるものとする。本考案の取付具付きアクセサリー１のベルト４を左右のベルト通しに通して中央に折り返し、ベルト４のそれぞれの端部５を互いに平面ファスナー６で係止するものとし、かつ、挟着具７でスカートあるいはズボンの上端を係止するものとする。
【００１９】
本考案の取付具付きアクセサリー１は以上のように単に挟着具７で挟着する従来のものに比し、ベルト４を併用した取付け具８で係止するので、従来の単に挟着具で挟着するもののように容易に外れることがなく、したがってうっかり落とすことがない。
【図面の簡単な説明】
【００２０】
【図１】本考案の取付具付きアクセサリーを示す図で、（ａ）はアクセサリーの表面から見た図で、（ｂ）はアクセサリーの裏面から見た図である。
【図２】本考案の取付具付きアクセサリーを裏面側から示す図で、（ａ）は全体図、（ｂ）はベルトの一方を折り返した図、（ｃ）は両側のベルトを折り返した図である。
【図３】本考案の取付具付きアクセサリーの取付用の挟持具を示し、（ａ）は側面図、（ｂ）は押え片側から見た正面図である。
【図４】本考案の取付具付きアクセサリーを手提げバッグに取り付けた図である。
【図５】図４の手提げバッグの内側から取付具付きアクセサリーを見た図である。
【図６】本考案の取付具付きアクセサリーをブーツに取り付けた図である。
【符号の説明】
【００２１】
１  取付具付きアクセサリー
２  基盤地
３  折り返し部
４  ベルト
５  端部
６  平面ファスナー
７  挟持具
８  取付具
９  アクセサリー
１０  手提げバッグ
１１  ブーツ
【図１】
0003105974.tif 000003
【図２】
0003105974.tif 000004
【図３】
0003105974.tif 000005
【図４】
0003105974.tif 000006
【図５】
0003105974.tif 000007
【図６】
0003105974.tif 000008